【手続補正書】
【提出日】平成18年4月3日(2006.4.3)
【手続補正１】
【補正対象書類名】明細書
【補正対象項目名】特許請求の範囲
【補正方法】変更
【補正の内容】
【特許請求の範囲】
【請求項１】
記録材の搬送方向に直交する方向を長手として配置された加熱体と、該加熱体に接触して移動するフィルムと、該フィルムを介して加熱体と圧接してニップを形成する加圧部材と、を有し、前記ニップの前記フィルムと前記加圧部材との間に未定着トナー像を担持した記録材を導入して挟持搬送させることによって前記フィルムを介した前記加熱体の熱によりトナー像を記録材上に定着させる定着手段と、
通紙されうる全ての記録材において通紙領域となる位置に配置されて加熱体の温度を検知する第一の温度検知手段と、
紙幅の狭い記録材が通紙されるときに非通紙領域となる位置に配置される第二の温度検知手段と、
記録材の通紙枚数をカウントする手段と、
前記第一の温度検知手段が検知する温度によって加熱体を通電制御する通電制御手段と、
前記第二の温度検知手段が検知した温度Ｔに対してしきい温度を設け、前記検知温度Ｔが該しきい温度を超えたときに給紙間隔を延長する制御手段と、
を有する画像形成装置であり、
給紙間隔が延長された後の所定枚数αの記録材の通紙中では給紙間隔を延長しないことを特徴とする制御モードを有する画像形成装置。
【請求項２】
請求項１に記載の画像形成装置において、前記制御手段は、前記第二の温度検知手段が検知する温度が前記しきい温度を超えたことに応じて前記給紙間隔を延長し、前記所定枚数を設定することを特徴とする画像形成装置。
【請求項３】
請求項２に記載の画像形成装置において、前記所定枚数は、前記第二の温度検知手段が検知する温度が前記しきい温度を超えた次の記録材から数えられる通紙枚数であることを特徴とする画像形成装置。
【請求項４】
請求項２に記載の画像形成装置において、前記しきい温度は、通常は第１のしきい温度を設定し、前記所定枚数の記録材を給送中は前記第１のしきい温度より高い第２のしきい温度を設定することを特徴とする画像形成装置。
【請求項５】
請求項１に記載の画像形成装置において、前記制御手段は、前記所定枚数の非通紙中でかつ前記第二の温度検知手段が検知する温度が前記しきい温度を下回ったときに前記記録材の給紙間隔を短縮することを特徴とする制御モードを有することを特徴とする画像形成装置。
【請求項６】
請求項５に記載の画像形成装置において、前記所定枚数は、前記第二の温度検知手段が検知する温度が前記しきい温度を下回った次の記録材から数えられる通紙枚数であることを特徴とする画像形成装置。
【請求項７】
請求項５に記載の画像形成装置において、前記しきい温度は、通常は第１のしきい温度を設定し、所定枚数の給送中はしきい温度を前記第１のしきい温度より低い第２のしきい温度を設定することを特徴とする画像形成装置。
【請求項８】
記録材上にトナー画像を形成する画像形成部と、
記録材上のトナー画像を定着させるべく前記記録材を加熱する加熱部材、及び前記加熱部材とともに前記記録材を加圧しつつ回転する加圧部材を有する定着部と、
前記加熱部材の長手方向の端部近傍の温度を検知する端部温度検知部と、
前記端部温度検知部が検知する温度に基づいて連続プリント時の記録材の給送間隔を制御する制御部とを備え、
前記制御部は、前記記録材の給送間隔を変更したときは、その後所定枚数を給紙するまでは、前記端部温度検知部が検知する温度に拘わらず給送間隔を変更しないことを特徴とする画像形成装置。
【請求項９】
請求項８に記載の画像形成装置において、前記制御部は、前記端部温度検知部が検知する温度が所定の閾値温度を超えたことに応じて前記記録材の給送間隔を延長し、所定枚数を設定することを特徴とする画像形成装置。
【請求項１０】
請求項９に記載の画像形成装置において、前記所定枚数は、前記端部温度検知部が検知する温度が前記所定の閾値温度を超えた次の記録材から数えられる通紙枚数であることを特徴とする画像形成装置。
【請求項１１】
請求項９に記載の画像形成装置において、前記閾値温度は、通常は第１の閾値温度を設定し、前記所定枚数の記録材を給送中は前記第１の閾値温度より高い第２の閾値温度を設定することを特徴とする画像形成装置。
【請求項１２】
請求項９に記載の画像形成装置において、前記制御部は、前記所定枚数の非通紙中でかつ前記端部温度検知部が検知する温度が前記所定の閾値温度を下回ったときに前記記録材の給送間隔を短縮することを特徴とする制御モードを有することを特徴とする画像形成装置。
【請求項１３】
請求項１２に記載の画像形成装置において、前記所定枚数は、前記端部温度検知部が検知する温度が前記所定の閾値温度を下回った次の記録材から数えられる通紙枚数であることを特徴とする画像形成装置。
【請求項１４】
請求項１２に記載の画像形成装置において、前記閾値温度は、通常は第１の閾値温度を設定し、所定枚数の給送中は閾値温度を前記第１の閾値温度より低い第２の閾値温度を設定することを特徴とする画像形成装置。
【請求項１５】
記録材に画像を形成する画像形成装置において、
記録材上にトナー画像を形成する画像形成部と、
前記トナー画像を定着させるべく前記記録材を加熱する加熱部材、及び前記加熱部材とともに前記記録材を加圧しつつ回転する加圧部材を有する定着部と、
前記加熱部材における記録材の通過領域の端部近傍において前記加熱部材の温度を検知する端部温度検知部と、
前記端部温度検知部が検知する温度と所定の閾値温度との比較結果に応じて前記記録材の給送を制御する制御部とを備え、
前記制御部は、前記端部温度検知部が検知する温度が前記所定の閾値温度を超えたことに応じて前記記録材の給送間隔を変更し、所定枚数を設定することを特徴とする画像形成装置。
【請求項１６】
請求項１５に記載の画像形成装置において、前記制御部は、前記端部温度検知部が検知する温度が前記所定の閾値温度を超えたことに応じて前記記録材の給送間隔を延長し、所定枚数を設定することを特徴とする画像形成装置。
【請求項１７】
請求項１６に記載の画像形成装置において、前記所定枚数は、前記端部温度検知部が検知する温度が前記所定の閾値温度を超えた次の記録材から数えられる通紙枚数であることを特徴とする画像形成装置。
【請求項１８】
請求項１６に記載の画像形成装置において、前記閾値温度は、通常は第１の閾値温度を設定し、前記所定枚数の記録材を給送中は前記第１の閾値温度より高い第２の閾値温度を設定することを特徴とする画像形成装置。
【請求項１９】
請求項１５に記載の画像形成装置において、前記制御部は、前記所定枚数の非通紙中でかつ前記端部温度検知部が検知する温度が前記所定の閾値温度を下回ったときに前記記録材の給送間隔を短縮することを特徴とする制御モードを有することを特徴とする画像形成装置。
【請求項２０】
請求項１９に記載の画像形成装置において、前記所定枚数は、前記端部温度検知部が検知する温度が前記所定の閾値温度を下回った次の記録材から数えられる通紙枚数であることを特徴とする画像形成装置。
【請求項２１】
請求項１９に記載の画像形成装置において、前記閾値温度は、通常は第１の閾値温度を設定し、所定枚数の給送中は閾値温度を前記第１の閾値温度より低い第２の閾値温度を設定することを特徴とする画像形成装置。
【手続補正２】
【補正対象書類名】明細書
【補正対象項目名】００３５
【補正方法】変更
【補正の内容】
【００３５】
【課題を解決するための手段】
本発明は、
記録材の搬送方向に直交する方向を長手として配置された加熱体と、該加熱体に接触して移動するフィルムと、該フィルムを介して加熱体と圧接してニップを形成する加圧部材と、を有し、前記ニップの前記フィルムと前記加圧部材との間に未定着トナー像を担持した記録材を導入して挟持搬送させることによって前記フィルムを介した前記加熱体の熱によりトナー像を記録材上に定着させる定着手段と、
通紙されうる全ての記録材において通紙領域となる位置に配置されて加熱体の温度を検知する第一の温度検知手段と、
紙幅の狭い記録材が通紙されるときに非通紙領域となる位置に配置される第二の温度検知手段と、
記録材の通紙枚数をカウントする手段と、
前記第一の温度検知手段が検知する温度によって加熱体を通電制御する通電制御手段と、
前記第二の温度検知手段が検知した温度Ｔに対してしきい温度を設け、前記検知温度Ｔが該しきい温度を超えたときに給紙間隔を延長する制御手段と、
を有する画像形成装置であり、
給紙間隔が延長された後の所定枚数αの記録材の通紙中では給紙間隔を延長しないことを特徴とする制御モードを有する画像形成装置、である。
また、本発明は、
記録材上にトナー画像を形成する画像形成部と、
記録材上のトナー画像を定着させるべく前記記録材を加熱する加熱部材、及び前記加熱部材とともに前記記録材を加圧しつつ回転する加圧部材を有する定着部と、
前記加熱部材の長手方向の端部近傍の温度を検知する端部温度検知部と、
前記端部温度検知部が検知する温度に基づいて連続プリント時の記録材の給送間隔を制御する制御部とを備え、
前記制御部は、前記記録材の給送間隔を変更したときは、その後所定枚数を給紙するまでは、前記端部温度検知部が検知する温度に拘わらず給送間隔を変更しないことを特徴とする画像形成装置、である。
また、本発明は、
記録材に画像を形成する画像形成装置において、
記録材上にトナー画像を形成する画像形成部と、
前記トナー画像を定着させるべく前記記録材を加熱する加熱部材、及び前記加熱部材とともに前記記録材を加圧しつつ回転する加圧部材を有する定着部と、
前記加熱部材における記録材の通過領域の端部近傍において前記加熱部材の温度を検知する端部温度検知部と、
前記端部温度検知部が検知する温度と所定の閾値温度との比較結果に応じて前記記録材の給送を制御する制御部とを備え、
前記制御部は、前記端部温度検知部が検知する温度が前記所定の閾値温度を超えたことに応じて前記記録材の給送間隔を変更し、所定枚数を設定することを特徴とする画像形成装置、である。